(57)【要約】【課題】  従来の携帯用ゲーム機の保護カバーは、携帯用ゲーム機の外周部位に容易に取り付けることができ、保護カバーの取付性を向上し得るとともに、携帯用ゲーム機の損傷防止を確実に果たし得るものであるが、完全防水性は一切考慮されていないという問題があった。【解決手段】  携帯できる液晶画面を有する電子機器の密閉防水カバーにおいて、前記電子機器の形状に合わせてシリコンゴム製で一体成形した防水カバー本体１を形成し、一部に開口部４を有し、この開口部４を利用して電子機器を挿入し、防水カバー本体１で電子機器を全体的に覆い、その際、液晶画面部分３に対向する部分を鏡面仕上げして透明性を高め、前記開口部４をキャップ５で密閉する携帯用電子機器防水カバー。【選択図】図１
2007159716.tif 000002
【特許請求の範囲】
【請求項１】
携帯できる液晶画面を有する電子機器のカバーにおいて、少なくとも前記液晶画面を覆う、シリコンゴム製で筒状に一体成形したカバー本体を形成し、液晶画面に対向する部分を鏡面仕上げしたことを特徴とする携帯電子機器カバー
【請求項２】
携帯できる液晶画面を有する電子機器の防水カバーにおいて、前記電子機器の形状に合わせてシリコンゴム製で一体成形した防水カバー本体を形成し、この防水カバーで電子機器を全体的に覆い、その際、液晶画面に対向する部分を鏡面仕上げしたことを特徴とする携帯用電子機器防水カバー。
【請求項３】
携帯できる液晶画面を有する電子機器の密閉防水カバーにおいて、前記電子機器の形状に合わせてシリコンゴム製で一体成形した防水カバー本体を形成し、一部に開口部を有し、この開口部を利用して電子機器を挿入し、防水カバー本体で電子機器を全体的に覆い、その際、液晶画面部分に対向する部分を鏡面仕上げして透明性を高め、前記開口部をキャップで密閉することを特徴とする携帯用電子機器防水カバー。
【発明の詳細な説明】
【技術分野】
【０００１】
本発明は、各種液晶画面を有する携帯用電子機器の画面の視認性向上と、携帯用電子機器のカバーに関するものである。より詳細には、携帯ゲーム機、カメラ、携帯電話、テレビ等の各種リモコンなどの携帯用電子機器の液晶画面の視認性を向上させた一体成形のシリコンゴムからなるカバーに関するものである。
【背景技術】
【０００２】
従来は、携帯しつつゲームを行うことの可能な携帯用ゲーム機において、携帯用ゲーム機の凹凸形状を利用しつつ外周部位の少なくとも一部に係合し、携帯用ゲーム機を覆って保護する損傷防止用の保護カバー（例えば、特許文献１参照）が存在している。
【特許文献１】特開２００１−２４６１４９公報（特許請求の範囲の欄、発明の実施の形態の段落｛００１２｝、実施例の段落｛００１３｝〜｛００３２｝及び図１〜図４を参照）
【発明の開示】
【発明が解決しようとする課題】
【０００３】
本発明に係る携帯用電子機器カバーは、上記した従来の技術が有する問題点に鑑みなされたもので、次の課題を解決することが目的である。
従来の携帯用ゲーム機の保護カバーは、携帯用ゲーム機の外周部位に容易に取り付けることができ、保護カバーの取付性を向上し得るとともに、携帯用ゲーム機の損傷防止を確実に果たし得るものであるが、液晶画面の部分を覆ってなおかつ視認性を高めることについては一切考慮されていなく、しかも防水性は一切考慮されていないという問題があった。
本願発明は、これらの問題を解決するものである。
【課題を解決するための手段】
【０００４】
上記課題を解決するための本発明の第１発明は、請求項１に記載された通りの携帯用電子機器カバーであり、次のようなものである。
携帯できる液晶画面を有する電子機器のカバーにおいて、少なくとも前記液晶画面を覆う、シリコンゴム製で筒状に一体成形したカバー本体を形成し、液晶画面に対向する部分を鏡面仕上げをする構成である。
【０００５】
上記課題を解決するための本発明の第２発明は、請求項２に記載された通りの携帯用電子機器カバーであり、次のようなものである。
携帯できる液晶画面を有する電子機器の防水カバーにおいて、前記電子機器の形状に合わせてシリコンゴム製で一体成形した防水カバー本体を形成し、この防水カバーで電子機器を全体的に覆い、その際、液晶画面に対向する部分を鏡面仕上げをする構成である。
【０００６】
上記課題を解決するための本発明の第３発明は、請求項３に記載された通りの携帯用電子機器防水カバーであり、次のようなものである。
携帯できる液晶画面を有する電子機器の密閉防水カバーにおいて、前記電子機器の形状に合わせたシリコンゴム製で一体成形した防水カバー本体を形成し、一部に開口部を有し、この開口部を利用して電子機器を挿入し、防水カバー本体で電子機器を全体的に覆い、その際、液晶画面部分に対向する部分を鏡面仕上げして透明性を高め、前記開口部をキャップで密閉してなる構成である。
【発明の効果】
【０００７】
本発明に係る携帯用電子機器カバーは、上記説明のような構成を有するので、以下に記載する効果を奏する。
（１）透明度の高い、しかも伸縮性に優れたシリコンゴムから成る一体成形のカバーなので、液晶画面の視認性が優れている。
（２）シリコンゴム製防水カバーを金型で一体成形する場合、液晶画面の部分に位置する部位の金型を磨くことで、シリコンゴム製防水カバーの鏡面仕上げを可能にして、液晶画面部分の透過性を高めて画面を見易くでき、しかも密閉防水を可能にしたものである。
（３）各電子機器を覆うようにするために一部開口部を設け、この開口部を広げて各電子機器を挿入してかぶせて覆うようにし、前記開口部をキャップで密閉できるようにしたので、各電子機器の形状に合致させた金型で一体成形し、開口部のキャップは開口部の形状を同一にしておくことにより、同一の金型でキャップを成形することができるので、安価に提供することができる。
（４）浴室内等の湿気の多い場所での携帯電子機器の操作も防水機能が優れているので可能になった。
【発明を実施するための最良の形態】
【０００８】
携帯できる液晶画面を有する電子機器の密閉防水カバーにおいて、前記電子機器の形状に合わせたシリコンゴム製で一体成形した防水カバー本体を形成し、一部に開口部を有し、この開口部を利用して電子機器を挿入し、防水カバーで電子機器を全体的に覆い、その際、液晶画面に対向する部分を鏡面仕上げして透明性を高め、前記開口部をキャップで密閉してなる携帯ゲーム機、カメラ、携帯電話、テレビ等の各種リモコン用防水カバーである。
【実施例】
【０００９】
以下、図面を用いて本発明の一実施例に関して説明する。
図１は、本発明に係る携帯ゲーム機、カメラ、携帯電話、テレビ等の各種リモコン用防水カバーのうち、携帯用ゲーム機用の防水カバーを示す斜視図である。
ここで、図２〜図７に基づいて、本発明の詳細な説明をする。
以下の図面は、図１に示したものにおけるもので、図２は正面図、図３は背面図、図４は平面図、図５は底面図、図６は右側面図、図７は図２のＡ−Ａ矢視断面図をそれぞれ示す。
【００１０】
上記図面で示されたものは、携帯ゲーム機用の防水カバーの実施例である。
この実施例では、携帯ゲーム機（図面では省略）の凸部、凹部、操作ボタン部等に合わせて金型で凹凸部２を形成し、さらに背面に開口部４を設けたものを示してあるが、この開口部４は各種電子機器の形状によって、左右側面や上下面等、その形状に合致した適宜の部分を選択して決定するものである。
そして、各電子機器の液晶画面部分３は金型を研磨して鏡面仕上げをすることで、シリコンゴムの透明性を高めてあるので、液晶画面部分３も含めて完全に密閉して防水性を高めた上に、さらに液晶画面部分３を良好に見ることができるようにしたものである。
なお、この透明性をさらに高めるには、液晶画面部分３だけを薄くすることで行うことができる。
【００１１】
また、防水カバー本体１をシリコンゴムで一体成形することにより、物性的に害のない衛生的で食品衛生法にも合致する。また伸縮性が高く、高温にも耐えられる透明性の良い、環境に優しい材料を採用したものである。
さらに、シリコンゴム一体成形のため、携帯用電子機器の液晶画面の保護のためにアクリル板やガラス板を嵌め込む必要がないものである。
【００１２】
次に、開口部４とその開口部４のキャップ５について説明する。
前記したように、開口部４は各電子機器の液晶画面部分３を除く適宜の部位、本実施例では携帯ゲーム機の背面側に形成したものが示されている。
この開口部４は、図３に示すような略楕円形や略円形等、加工し易い形状を選択し、その開口部４の周囲を円柱状の肉厚を厚くした部分を形成し、この開口部４の周囲の肉厚の厚い部分と嵌合するように開口部４のキャップ５は、開口部４の周囲の肉厚の厚い部分が嵌合できるような、図８、図９に示すように凹部６と、その上下に防水カバー１の開口部４より若干大きなつば部７が周囲に形成することで密閉性をよくしたものである。
キャップ５も防水カバー本体１と同一のシリコンゴム製で成形し、図８〜図１０で示すように開口部４にキャップ５を取り付け易いようにつまみ部８を形成してあれば、より取り付け易くなるものである。
【００１３】
以上、開口部４にキャップ５を開閉蓋する実施例について説明をしたが、防水カバー本体１を平角袋状に形成して、内容物を収容した後、開口部を折り畳んで塞ぐことができるように、開口部を少し長めに形成する。この実施例の防水カバー本体１に携帯用電子機器を開口部から挿入し、電子機器を覆うように開口部で折り畳んで封じ込めるようにしたものも実施例としては考えられる。
【００１４】
また、図示はしていないが、カメラ、携帯電話、リモコン等に採用する場合も、その形状に合わせた防水カバー本体１をシリコンゴムで金型による一体成形で形成することはいうまでもない。
【産業上の利用可能性】
【００１５】
携帯できるもので、液晶画面を有する電子機器であれば、どのようなものの場合にも応用することができる。
【図面の簡単な説明】
【００１６】
【図１】本発明に係る携帯ゲーム機用防水カバーの一実施例を示す斜視図である。
【図２】本発明に係る携帯ゲーム機用防水カバーの一実施例を示す正面図である。
【図３】本発明に係る携帯ゲーム機用防水カバーの一実施例を示す背面図である。
【図４】本発明に係る携帯ゲーム機用防水カバーの一実施例を示す平面図である。
【図５】本発明に係る携帯ゲーム機用防水カバーの一実施例を示す底面図である。
【図６】本発明に係る携帯ゲーム機用防水カバーの一実施例を示す右側面図である。
【図７】図２におけるＡ−Ａ矢視断面図である。
【図８】本発明に係るキャップの一実施例を示す平面図である。
【図９】本発明に係るキャップの一実施例を示す正面図である。
【図１０】図９におけるＢ矢視図である。
【符号の説明】
【００１７】
１・・・・防水カバー本体                      ２・・・・凹凸部
３・・・・液晶画面部分                        ４・・・・開口部
５・・・・キャップ                            ６・・・・凹部
７・・・・つば部                              ８・・・・つまみ部
【図１】
2007159716.tif 000003
【図２】
2007159716.tif 000004
【図３】
2007159716.tif 000005
【図４】
2007159716.tif 000006
【図５】
2007159716.tif 000007
【図６】
2007159716.tif 000008
【図７】
2007159716.tif 000009
【図８】
2007159716.tif 000010
【図９】
2007159716.tif 000011
【図１０】
2007159716.tif 000012